(57)【要約】【課題】一つの表示部で複数の表示を可能とするとともに、表示部を小型化し部品コストを低減できる表示部を備えた空気調和機を提供することを目的とする。【解決手段】ユニット本体１の前面に設けられ、空気調和機の運転状況または状態を表示する表示部３を具備した空気調和機において、表示部３は、互いに離間して配置される第１のＬＥＤ１０および第２のＬＥＤ１１と、前面側に反射表示面２１が形成され、背面側にローレット面２２が形成されるプリズム１８とを有し、前記第１のＬＥＤ１０の光は前記反射表示面２１の略全面に表示され、前記第２のＬＥＤ１１の光は前記反射表示面２１の一部分に表示されることを特徴とする。【選択図】　　　図３
2004116876.tif 000002
【特許請求の範囲】
【請求項１】
空気調和機本体と、この空気調和機本体の前面に設けられ、空気調和機の運転状況または状態を表示する表示部とを具備した空気調和機において、
前記表示部は、互いに離間して配置される第１の発光体および第２の発光体と、前面側に表示面が形成され、背面側に反射面が形成される導光体とを有し、前記第１の発光体の光は前記表示面の略全面に表示され、前記第２の発光体の光は前記表示面の一部分に表示されることを特徴とする空気調和機。
【請求項２】
前記第１の発光体の光は前記導光の長手方向に進行し、前記第２の発光体の光は前記導光体の背面側から前面側に向けて進行すること特徴とした請求項１に記載の空気調和機。
【請求項３】
前記反射面がローレット加工されていることを特徴とする請求項２に記載の空気調和機。
【請求項４】
前記第１の発光体および第２の発光体は、これらが接続される配線基板と前記導光体との間に形成される第１の収納部および第２の収納部にそれぞれ収められ、前記第２の収容部には、前記第２の発光体の光が通過する孔が設けられていることを特徴とする請求項１に記載の空気調和機。
【請求項５】
前記第１の発光体および第２の発光体は、その軸心が、互いに配線基板に対して垂直状態に接続され、前記導光体は前記第１および第２の発光体の前面を覆い、その長手方向は、前記第１の発光体と第２の発光体に対して垂直で、かつ上記配線基板と平行に配置されることを特徴とする請求項４に記載の空気調和機。
【請求項６】
前記第１の発光体は前記導光体に形成された傾斜部に対向して配置され、前記第２の発光体は前記ローレット加工された反射面に対向して配置されることを特徴とする請求項５記載の空気調和機。
【発明の詳細な説明】
【０００１】
【発明の属する技術分野】
本発明は、室内機と室外機とから構成される空気調和機に係り、特に、室内機に設けられる表示部の構造の改良に関する。
【０００２】
【従来の技術】
従来、空気調和機の室内機は、本体に吸込み口および吹出し口を備え、本体内部には熱交換器と送風ファンなどが収容される。
上記本体の前面下部もしくは前面一側部には表示部が設けられていて、室内機外に付属されるワイヤレスのリモートコントローラ（以下、リモコンと称する）から送信される赤外線信号による運転開始や運転終了の指令、使用者が設定した室温や風量、風向、さらにその他の運転に係る内容等を表示する。
【０００３】
また、従来から、本体に設けられる吸込み口に対向してフィルタが配置され、本体内に吸込まれる室内空気に混在する塵埃を捕捉するようになっている。近時は、室内熱交換器の前面に電気集塵機が配置されたものがあり、上記フィルタを通過した塵埃を完全に捕捉する。
あるいは、吹出し口の近傍にマイナスイオン発生器が取付けられ、居室に向けてマイナスイオンが放出される室内機もある。
さらには、室内空気を室外に排気する排気用送風機と、この送風機に接続され、室外に連通した排気用ダクトとにより換気運転を行う室内機もある。
【０００４】
このように、単なる冷房、暖房、除湿などの冷凍サイクル運転ばかりでなく、電気集塵機、マイナスイオン発生器、換気運転などの機能が加えられてより快適な空気調和をなす空気調和機が提供されるようになった。
そして、上記表示部においても、リモコンからの送信にもとづく運転条件の表示の他に、居室の清浄度（もしくは汚れ具合）、換気運転の状況等を刻々と表示することが求められている。
【０００５】
通常、表示部には、複数の発光体が配置されており、その発光体を反射部材やカバー部材等で覆って構成されている。
そして、機能毎に決められたＬＥＤが点灯して各運転状況を表示するようになっている。
しかし、構造上、空気調和機の表示部スペースは限られているため、全ての機能を表示することが難しく、一つの表示部で複数の表示ができるものが望まれている。
そこで、反射部材と、これに反射される２または３発光色の発光体とを有し、２また３発光色およびこれらの混色によって一つの表示部で複数の機能を表示するものがある（例えば、特許文献１参照。）。
【０００６】
【特許文献１】
特開２００２−１３７９５号公報
【発明が解決しようとする課題】
しかしながら、上記構成では、発光体の光は、反射部材で反射されて表示部全体で表示される。
よって、一点（一部分）表示させる場合には、反射部材による表示部とは別に一部分表示のための表示部を設ける必要があり、表示部全体が大型化してしまうという問題があった。
表示部の大型化により、表示パネルや表示部を構成する配線基板等の部品コストに悪影響を与えていた。
【０００７】
本発明は上記事情を考慮してなされたものであり、一つの表示部で複数の表示を可能とするとともに、表示部を小型化し部品コストを低減できる表示部を備えた空気調和装置を提供することを目的とする。
また、居住者が表示内容を認識しやすい表示部を備えた空気調和機を提供することを目的としたものである。
【０００８】
【課題を解決するための手段】
上記目的を満足するため本発明の第１の手段として、空気調和機本体と、この空気調和機本体の前面に設けられ、空気調和機の運転状況または状態を表示する表示部とを具備した空気調和機において、前記表示部は、互いに離間して配置される第１の発光体および第２の発光体と、前面側に表示面が形成され、背面側に反射面が形成される導光体とを有し、前記第１の発光体の光は前記表示面の略全面に表示され、前記第２の発光体の光は前記表示面の一部分に表示される。
【０００９】
第２の手段として、前記第１の発光体の光は前記導光の長手方向に進行し、前記第２の発光体の光は前記導光体の背面側から前面側に向けて進行する。
【００１０】
第３の手段として、前記反射面がローレット加工されている。
【００１１】
第４の手段として、前記第１の発光体および第２の発光体は、これらが接続される配線基板と前記導光体との間に形成される第１の収納部および第２の収納部にそれぞれ収められ、前記第２の収容部には、前記第２の発光体の光が通過する孔が設けられている。
【００１２】
第５の手段として、前記第１の発光体および第２の発光体は、その軸心が、互いに配線基板に対して垂直状態に接続され、前記導光体は前記第１および第２の発光体の前面を覆い、その長手方向は、前記第１の発光体と第２の発光体に対して垂直で、かつ上記配線基板と平行に配置される。
【００１３】
第６の手段として、上記第１の発光体は前記導光体に形成された傾斜部に対向して配置され、前記第２の発光体は前記ローレット加工された反射面に対向して配置される。
【００１４】
【発明の実施の形態】
以下、本発明の一実施の形態を図面にもとづいて説明する。
図１は、空気調和機を構成する室内機の外観の斜視図である。
ユニット本体（空気調和機本体）１は、上下方向に対して幅方向に長い横長状をなし、その前面は手前側に湾曲して突出している。
【００１５】
ユニット本体１の前面を構成する化粧パネル１ａの一部は、図示しない開閉駆動機構に支持されていて、運転停止時においては図のように他のパネルと同一平面をなすが、運転時には手前側に突出するよう制御される。
【００１６】
ユニット本体１上部には、上部吸込み口が設けられ、ユニット本体１前部には上記化粧パネル１ａの一部によって開閉される前部吸込み口（いずれも図示しない）が設けられる。
【００１７】
ユニット本体１の化粧パネル１ａには、下部に開口部２ａが設けられていて、後述するように構成される表示部３が開口部２ａから居室に向けて露出している。
【００１８】
さらに、化粧パネル１ａの下部側には、２枚の吹出しルーバー４ａ，４ｂによって開閉される吹出し口４が設けられる。各吹出しルーバー４ａ，４ｂは、吹出し口４から吹出される熱交換空気の吹出し方向を設定する。
【００１９】
図２は、上記化粧パネル１ａをユニット本体１から取外して室内機内部を示す斜視図である。
ユニット本体１は前面パネル５にて覆われていて、そのほぼ中央部に電気集塵機６が設置されている。
この電気集塵機６は、荷電側電極と集塵側電極とから構成されていて、荷電側電極は空気中の塵埃に電荷を与え、そのあと集塵側電極において電荷を与えられた塵埃を引きつけ、塵埃を除去するようになっている。
【００２０】
ユニット本体１の側方部位および表示部３の前面パネル５裏側部位等には、電気部品を収容する電気部品箱７が設けられる。
電気部品箱７内の電気部品は、電気集塵機６を制御する部品や、室内熱交換器の前後側熱交換器部間に配置される送風機を駆動制御する部品や、表示部３を制御するための部品ほかである。
【００２１】
つぎに、上記表示部３について説明する。
図３は、表示部３の一部の断面図であるとともに、表示部３に係る電気回路を概略的に示す図であり、図４は、表示部３の斜視図である。
【００２２】
上記ユニット本体１に配置される電気部品ベース８に対して、適宜な手段をもって配線基板９が取付けられている。この配線基板９には、必要な電気回路がプリント配線され、各種の電気部品が取付けられている。
【００２３】
上記電気部品の一つに、第１の発光体である第１のＬＥＤ１０と、第２の発光体である第２のＬＥＤ１１が、互いに離間して配置される。
ここでは、図の右側を第１のＬＥＤ１０とし、中央側を第２のＬＥＤ１１とする。
そして、上記第１のＬＥＤ１０は緑色を発光し、この緑色は、例えば、換気運転中であることを表現するものと設定する。
一方、第２のＬＥＤ１１は赤色を発光し、この赤色は、例えば、エアーフィルターもしくは電機集塵機の清掃時期が到来したことを表現するものと設定する。
【００２４】
上記各ＬＥＤ１０，１１は、そのリード脚部が配線基板９に挿入され、そのままはんだ付けされる。
したがって、各ＬＥＤ１０，１１の軸心が配線基板９に対して垂直姿勢になり、先端の各発光部１０ａ，１１ａが配線基板９から突出する。
ここで、各ＬＥＤ１０，１１を配線基板９に垂直な方向に取付けることにより、各ＬＥＤ１０，１１のリード脚部を配線基板９に設けられる接続用孔に挿入するだけでよく、特にリード脚部を折り曲げる工程が不要となり、そのままの状態で取付けが可能で、手間がかからずにすみ製造性がよくなる。
【００２５】
そして上記各ＬＥＤ１０，１１は、カバー体であるプリズムカバー１２によって覆われる。このプリズムカバー１２は、光の反射性の高い色（たとえば、白色）の合成樹脂材からなり、両側部に爪部１３，１３が突設される。それぞれの爪部１３，１３は、上記配線基板９に設けられる取付け用孔１４，１４に装着される。
【００２６】
さらに、プリズムカバー１２内部に導光体であるプリズム１８が配置され、プリズムカバー１２の爪部１３の内側に、プリズム１８を支持するプリズム支持部１６と、第１のＬＥＤ１０を収容する第１の収容部１５ａが形成されている。
プリズム支持部１６の内部には、第２のＬＥＤ１１を収容する第２の収容部１５ｂが形成されている。この収容部１５ｂのプリズム１８と対向する面には、プリズム１８側と配線基板９側とを貫通する一部点灯用孔１６ａが設けられていて、この孔１６ａを第２のＬＥＤ１１の光が通過する。
ここで、第２のＬＥＤ１１は、その発光部１１ａの光が直接的に上記孔１６ａを通過するように孔１６ａと近接して配置されている。
【００２７】
上記プリズムカバー１２の前面は、ほとんど大部分が開口した開口部１７が形成されていて、上記プリズム１８の端面に沿って設けられる段部１９が開口部１７に嵌め込まれる。したがって、プリズム１８の段部１９前面が開口部１７から露出していて、以下、この段部前面を反射表示面２１と呼ぶ。
【００２８】
上記反射表示面２１と対向する面、すなわちプリズム支持部１６に支持されるプリズム１８の反射面２０ａは、多数の細かい溝を長手方向とは直交する方向に平行に設けた、いわゆるローレット加工がなされていて、以下、この面をローレット面２２と呼ぶ。
【００２９】
上記プリズム１８の右側部表面は斜めに削成される傾斜反射面２０ｂとなっていて、上記プリズムカバー１２にも、上記傾斜反射面２０ｂに沿う傾斜面１２ａが形成されている。
そして、第１のＬＥＤ１０の収容部１５ａに対向して傾斜反射面２０ｂと傾斜面１２ａが位置し、この傾斜部分の左側にプリズム段部１９と開口部１７とが位置している。
ここで、上記ＬＥＤ１０の発光部１０ａが、プリズム１８の傾斜反射面２０ｂと対向するので、ＬＥＤ１０とプリズム１８とが垂直に対向していても、プリズム１８での発光には何ら支障がない。
また、プリズム１８の反射表示面２１側端よりも外側に第１のＬＥＤ１０の収容部１５ａがあるので、居住者は、第１のＬＥＤ１０の存在は化粧パネル１ａよって遮蔽されて認識できず、プリズム１８の反射表示面２１のみを確認することができる。
【００３０】
上記ローレット面２２の存在により、傾斜反射面２０ｂからプリズム１８内に入った光を乱反射状態で反射表示面２１に反射するようになっていて、少なくともプリズム１８における入射光量に対して反射光量の減少がない。
さらに、ローレット面２２の乱反射作用により、第２のＬＥＤ１１の消灯時には、一部点灯用孔１６ａの存在を居住者が認識できないようになっている。
【００３１】
上記第１のＬＥＤ１０および第２のＬＥＤ１１は、後述する制御部３０からの信号にもとづいて点灯するように制御される。
ここで、プリズム１８内に入った第１のＬＥＤ１０の光は、上記傾斜反射面２０にて反射した後、プリズム１８内を長手方向に進み、ローレット面２２で乱反射状態で反射表示面２１に反射する。これにより反射表示面２１の全体が光って見える。
一方、第２のＬＥＤ１１の光は、第１のＬＥＤ１０のように傾斜反射面２０ｂで反射されないので、ローレット面２２全体において乱反射されることがない。さらに、第２のＬＥＤ１１の発光部１１ａが、一部点灯用孔１６ａに近接して配置されているので、ＬＥＤ１１の光は、プリズム１８に対して略垂直方向に孔１６ａを通過した後、プリズム内をローレット面２２から反射表示面２１に向けて進み、孔１６ａの開口形状と略同形状で反射表示面２１に表示される。
【００３２】
ここで、各ＬＥＤ１０，１１の発光部１０ａ，１１ａは、各々収納部１５ａ，１５ｂに収納されているので、互いの光が干渉することはない。
すなわち、第１のＬＥＤ１０の光が一部点灯用孔１６ａから漏れることはなく、同様に第２のＬＥＤ１１の光が反射表示面２１で全体的に表示されることもない。
【００３３】
次に運転時における表示部３の動作について説明する。
リモコンの換気運転スイッチをオンにすると、換気用送風機が作動し、排気ダクトから室内空気が屋外へ排出される。同時に制御部３０はリモコンからの信号を受けて上記第１のＬＥＤ１０に制御信号として送る。
制御部３０からの制御信号にもとづいて、上記第１のＬＥＤ１０（緑色）が発光する。この緑色の光をプリズム１８が反射して反射表示面２１において全体が緑色に発光し、換気運転中であることを表示する。
【００３４】
また、上記制御部３０は、たとえばマイナスイオン発生器の近傍に取付けられる検知手段であるガスセンサ３１から信号を受け、その検知信号に基づいて演算をなし、上記第２のＬＥＤ１１に対する発光制御信号を送るようになっている。マイナスイオンの発生量が大であるときは、塵埃量が少なく汚れ具合が小であり、清浄度が高い場合であり、マイナスイオンの発生量が小であるときは、塵埃量が多くて汚れ具合が大であり、清浄度が低い場合である。
電気集塵機を運転させてもマイナスイオンの発生量が小のままであるときは、電気集塵機またはエアフィルターの汚れが原因であると考えられる。
居室の汚れ具合が増し、エアフィルターおよび電気集塵機で塵埃を捕捉できなくなったときは、上述したように第２のＬＥＤ１１（赤色）が発光して、上記プリズム１８の反射表示面２１において一部分が赤色に表示される。
【００３５】
したがって、居室にいる居住人は、表示部３により空気調和機が換気運転中であることと、電気集塵機またはエアフィルターの清掃時期を知ることができる。ここで、表示部３では２つの機能が表示されることになるが、表示色および、形状・大きさから、容易に表示内容を認識できる。
【００３６】
なお、第２のＬＥＤ１１の光が通過する一部点灯用孔１６ａの形状を、円形に限らず様々な形状にすることで、表示形状に変化をもたせることが可能となる。
【００３７】
また、上記制御部３０は、各ＬＥＤ１０，１１に対して輝度調整を行うようにしてもよい。
特に居室の汚れ増加とともに第２のＬＤＥ１１の光度を上げていけば、エアフィルターの清掃時期を居住者が予想することができる。
【００３８】
また、上記実施の形態では、各ＬＥＤ１０，１１はそれらの軸心が配線基板９に対して垂直方向となるように配置した構成を説明したが、本発明は上記構成に限定されるのもではなく、第１のＬＥＤ１０の光がプリズム１８の幅方向へ照射され、第２のＬＥＤ１１の光がプリズム１８の背面から反射表示面２１方向へ照射される構成であれば上記実施の形態で説明したものと同等の表示が可能である。
この場合、ＬＥＤ１０がプリズム１８の一側面と対向するように配置すれば、プリズム１８に形成した傾斜反射面２０ｂおよびカバー１２に形成した傾斜面１２ａを形成する必要がないので、部品の加工が容易になる。
【００３９】
【発明の効果】
以上説明したように本発明によれば、一つの表示部で複数の表示を可能とするとともに居住者が表示内容を認識しやすく、表示部を小型化して部品コストを低減できるなどの効果を奏する。
【図面の簡単な説明】
【図１】本発明の一実施の形態を示す、空気調和機の室内機の外観斜視図。
【図２】同実施の形態を示す、室内機内部の斜視図。
【図３】同実施の形態を示す、表示部の一部の断面図。
【図４】同実施の形態を示す、表示部の斜視図。
【符号の説明】
１…ユニット本体（空気調和機本体）
３…表示部
１０…第１のＬＥＤ（第１の発光体）
１１…第２のＬＥＤ（第２の発光体）
１２…プリズムカバー（カバー体）
１６…プリズム支持部
１６ａ…一部点灯用孔
１８…プリズム（導光体）
２０ｂ…傾斜反射面
２１…反射表示面
２２…ローレット面
【図１】
2004116876.tif 000003
【図２】
2004116876.tif 000004
【図３】
2004116876.tif 000005
【図４】
2004116876.tif 000006